(57)【要約】【課題】本発明は、取引に係る集合体を構成し得る構成品候補を精度高く抽出可能に管理して、ユーザの手間を軽減することができる構成品管理装置、構成品管理方法、及び構成品管理プログラムを提供することを目的とする。【解決手段】本発明に係る構成品管理装置は、集合体を構成する構成品を管理するための情報処理装置である。この構成品管理装置の制御部は、取引に係る集合体に関し指定された分類に関する分類情報に基づき、当該分類情報に紐付けられた一種又は複数種の条件情報パターンに属する構成品を、前記集合体を構成し得る構成品候補として抽出する。【選択図】図２
2020107246.tif 000002
【特許請求の範囲】
【請求項１】
集合体を構成する構成品を管理するための、制御部を備えた構成品管理装置であって、
前記制御部は、
取引に係る集合体に関し指定された分類に関する分類情報に基づき、当該分類情報に紐付けられた一種又は複数種の条件情報パターンに属する構成品を、前記集合体を構成し得る構成品候補として抽出する構成品候補抽出手段
を備える
ことを特徴とする構成品管理装置。
【請求項２】
前記条件情報パターンは、第１の条件情報パターン、第２の条件情報パターン及び第３の条件情報パターンの少なくとも３種であり、
前記第１の条件情報パターンは、前記条件情報パターンに紐付けられた分類情報であり、
前記第２の条件情報パターンは、前記条件情報パターンに紐付けられた分類情報と、当該分類情報に関連付けられた地域に関する地域情報との組み合わせであり、
前記第３の条件情報パターンは、前記条件情報パターンに紐付けられた分類情報と、前記取引の取引先又は取引元に関する取引情報との組み合わせである
ことを特徴とする請求項１に記載の構成品管理装置。
【請求項３】
前記条件情報パターンは、さらに、付随情報を含む
ことを特徴とする請求項１又は２に記載の構成品管理装置。
【請求項４】
前記構成品に関する構成品情報は、
当該構成品を識別するための識別情報と、当該構成品の数量に関する数量情報とを少なくとも含む
ことを特徴とする請求項１〜３のいずれか１項に記載の構成品管理装置。
【請求項５】
前記構成品候補抽出手段は、
前記複数種の条件情報パターンから設定された一又は複数の条件情報パターンに属する構成品を前記構成品候補として抽出する
ことを特徴とする請求項１〜４のいずれか１項に記載の構成品管理装置。
【請求項６】
前記制御部は、
前記集合体の取引に関する取引データを作成する取引データ作成手段
をさらに含み、
前記取引データ作成手段は、
前記構成品候補抽出手段で抽出された構成品候補の群から選択された一又は複数の構成品候補を一の集合体として、当該集合体の取引に関する取引データを作成する
ことを特徴とする請求項１〜５のいずれか１項に記載の構成品管理装置。
【請求項７】
前記取引に係る集合体は、受注に係る医療品セットであり、
前記分類情報は、前記医療品セットが適用される症例を識別するための症例識別情報であり、
前記条件情報パターンは、前記症例識別情報、前記症例識別情報と前記医療品セットが適用される地域に関する地域情報の組み合わせ、並びに、前記症例識別情報と前記医療品セットが使用される納品先に関する納品先情報の組み合わせから選択された一又は複数の条件情報パターンである
ことを特徴とする請求項１〜６のいずれか１項に記載の構成品管理装置。
【請求項８】
制御部を備えた情報処理装置において実行される、集合体を構成する構成品を管理するための構成品管理方法であって、
前記制御部において実行される、
取引に係る集合体に関し指定された分類に関する分類情報に基づき、当該分類情報に紐付けられた一種又は複数種の条件情報パターンに属する構成品を、前記集合体を構成し得る構成品候補として抽出する構成品候補抽出ステップ
を含む
ことを特徴とする構成品管理方法。
【請求項９】
制御部を備えた情報処理装置において実行される、集合体を構成する構成品を管理するための構成品管理プログラムであって、
前記制御部において実行させるための、
取引に係る集合体に関し指定された分類に関する分類情報に基づき、当該分類情報に紐付けられた一種又は複数種の条件情報パターンに属する構成品を、前記集合体を構成し得る構成品候補として抽出する構成品候補抽出ステップ
を含む
ことを特徴とする構成品管理プログラム。
【発明の詳細な説明】
【技術分野】
【０００１】
本発明は、構成品管理装置、構成品管理方法、及び構成品管理プログラムに関する。
【背景技術】
【０００２】
取引に係る集合体を構成する構成品を管理するに際し、特許文献１には、構成品についての集合体識別情報、集合体個別識別情報、構成品識別情報および構成品ロット識別情報を紐づけて管理する技術が開示されている（請求項１）。このような技術により、例えば、医療用の箱（医療品セット）中に収納される医療品を登録・管理することができる（特許文献１の請求項４）。
【先行技術文献】
【特許文献】
【０００３】
【特許文献１】特開２０１８−１１６５６７号公報
【発明の概要】
【発明が解決しようとする課題】
【０００４】
しかしながら、通常、管理（登録）対象の集合体及び当該集合体を構成する構成品は多岐にわたっており、また、場合によっては重複登録された構成品の情報等が含まれているため、管理されている集合体又はその構成品の情報の群から、取引（例えば受注）に係る集合体又はその構成品の情報を精度高く参照することは容易ではないという課題がある。
【０００５】
特に、取引に係る集合体が、医療機関からの受注に係る医療品セットである場合、当該医療品セットが適用される症例、地域、及び、医療品セットが使用される得意先又は納品先（医療機関及びその医師）によって、集合体に構成すべき構成品は異なる。例えば、得意先又は納品先の所在地を含む地域によって、また、医師によって、必要とされる医療機器や不要とする医療機器が異なる。そこで、受注を受けた担当者は、管理されている情報を参照しつつも、以前に受注したときの記憶を頼りに、重複した構成品がないかどうかや、不足している構成品がないかどうかを確認する必要があり、手間が生じているのが現状である。
【０００６】
以上のことから、本発明は、上述の問題に鑑みてなされたものであって、取引に係る集合体を構成し得る構成品候補を精度高く抽出可能に管理して、ユーザの手間を軽減することができる構成品管理装置、構成品管理方法、及び構成品管理プログラムを提供することを目的とする。
【課題を解決するための手段】
【０００７】
上述した課題を解決し、目的を達成するために、本発明に係る構成品管理装置は、集合体を構成する構成品を管理するための、制御部を備えた構成品管理装置であって、前記制御部は、取引に係る集合体に関し指定された分類に関する分類情報に基づき、当該分類情報に紐付けられた一種又は複数種の条件情報パターンに属する構成品を、前記集合体を構成し得る構成品候補として抽出する構成品候補抽出手段を備えることを特徴とする。
【０００８】
また、本発明に係る構成品管理装置は、前記条件情報パターンは、第１の条件情報パターン、第２の条件情報パターン及び第３の条件情報パターンの少なくとも３種であり、前記第１の条件情報パターンは、前記条件情報パターンに紐付けられた分類情報であり、前記第２の条件情報パターンは、前記条件情報パターンに紐付けられた分類情報と、当該分類情報に関連付けられた地域に関する地域情報との組み合わせであり、前記第３の条件情報パターンは、前記条件情報パターンに紐付けられた分類情報と、前記取引の取引先又は取引元に関する取引情報との組み合わせであることを特徴とする。
【０００９】
また、本発明に係る構成品管理装置は、前記条件情報パターンは、さらに、付随情報を含むことを特徴とする。
【００１０】
また、本発明に係る構成品管理装置は、前記構成品に関する構成品情報は、当該構成品を識別するための識別情報と、当該構成品の数量に関する数量情報とを少なくとも含むことを特徴とする。
【００１１】
また、本発明に係る構成品管理装置は、前記構成品候補抽出手段は、前記複数の条件情報パターンから設定された一又は複数の条件情報パターンに属する構成品を前記構成品候補として抽出することを特徴とする。
【００１２】
また、本発明に係る構成品管理装置は、前記制御部は、前記集合体の取引に関する取引データを作成する取引データ作成手段をさらに含み、前記取引データ作成手段は、前記構成品候補抽出手段で抽出された構成品候補の群から選択された一又は複数の構成品候補を一の集合体として、当該集合体の取引に関する取引データを作成することを特徴とする。
【００１３】
また、本発明に係る構成品管理装置は、前記取引に係る集合体は、受注に係る医療品セットであり、前記分類情報は、前記医療品セットが適用される症例を識別するための症例識別情報であり、前記条件情報パターンは、前記症例識別情報、前記症例識別情報と前記医療品セットが適用される地域に関する地域情報の組み合わせ、並びに、前記症例識別情報と前記医療品セットが使用される納品先に関する納品先情報の組み合わせから選択された一又は複数の条件情報パターンであることを特徴とする。
【００１４】
また、本発明に係る構成品管理方法は、制御部を備えた情報処理装置において実行される、集合体を構成する構成品を管理するための構成品管理方法であって、前記制御部において実行される、取引に係る集合体に関し指定された分類に関する分類情報に基づき、当該分類情報に紐付けられた一種又は複数種の条件情報パターンに属する構成品を、前記集合体を構成し得る構成品候補として抽出する構成品候補抽出ステップを含むことを特徴とする。
【００１５】
また、本発明に係る構成品管理プログラムは、制御部を備えた情報処理装置において実行される、集合体を構成する構成品を管理するための構成品管理プログラムであって、前記制御部において実行させるための、取引に係る集合体に関し指定された分類に関する分類情報に基づき、当該分類情報に紐付けられた一種又は複数種の条件情報パターンに属する構成品を、前記集合体を構成し得る構成品候補として抽出する構成品候補抽出ステップを含むことを特徴とする。
【発明の効果】
【００１６】
本発明によれば、取引に係る集合体を構成し得る構成品候補を精度高く抽出可能に管理して、ユーザの手間を軽減することができるという効果を奏する。
【図面の簡単な説明】
【００１７】
【図１】図１は、本発明の実施形態に係る構成品管理装置を含む構成品管理システムの構成の一例を示すブロック図である。
【図２】図２は、図１の構成品管理システム１０００において、構成品管理装置１００が実行する構成品管理方法の処理手順を示すフローチャートである。
【図３】図３は、図２のステップ２０１においてマスタ編集の対象となる集合体構成パターンマスタの構成例を模式的に示す図である。
【図４】図４は、図３に示す集合体構成パターンマスタとしての商品セットパターンマスタに登録された構成品に関する構成品情報を模式的に示す図である。
【図５】図５は、図２のステップ２０１においてマスタ編集の対象となる取引情報マスタの構成例を模式的に示す図である。
【図６】図６は、図６は、図５に示す取引情報マスタとしての得意先マスタに登録された得意先に関する得意先情報を模式的に示す図である。
【図７】図７は、図２のステップＳ２０３で表示される入力画面としての受注入力画面の構成例を示す図である。
【図８】図８（ａ）及び図８（ｂ）は、図７の入力画面を介して入力された情報に基づき作成可能な受注データの構成例を示しており、図８（ａ）は、受注データのうちの基本情報を示し、図８（ｂ）は、図８（ａ）に示す受注データに紐付けられた受注明細データを示す図である。
【図９】図９（ａ）及び図９（ｂ）は、図７に示すように入力がなされている状態にあるときに作成されてもよい受注データを模式的に示す図であり、図９（ａ）は、受注データの基本情報を、図９（ｂ）は、図９（ａ）に示す受注データの受注明細データを示す図である。
【図１０】図１０は、図２のステップＳ２０５の構成品候補抽出処理の結果抽出された１群の構成品情報を模式的に示す図である。
【図１１】図１１は、図２のステップＳ２０６で１群の構成品候補の構成品情報が表示された検索結果表示画面の構成例を示す図である。
【図１２】図１２は、図１１の検索結果表示画面に表示された１群の構成品候補のうち、その一部についてチェックボックスがＯＦＦに変更された後の状態を示す図である。
【図１３】図１３は、図７に示したような入力画面において、図１２の検索結果表示画面を介して確定した構成品を反映させた状態を示す図である。
【図１４】図１４は、図２のステップＳ２０８〜Ｓ２０９の処理の結果作成された取引明細データの一例を模式的に示す図である。
【発明を実施するための形態】
【００１８】
本発明の実施形態を図面に基づいて詳細に説明する。なお、本発明は本実施形態により限定されるものではない。
【００１９】
［１．構成］
本実施形態に係る構成品管理装置を含む構成品管理システムの構成の一例について、図１を参照して説明する。図１は、本発明の実施形態に係る構成品管理装置を含む構成品管理システムの構成の一例を示すブロック図である。
【００２０】
図１に示す構成品管理システム１０００は、情報処理装置としての構成品管理装置１００と、サーバ２００と、構成品管理装置１００及びサーバ２００を通信可能に接続するネットワーク３００とを含んでいる。
【００２１】
構成品管理装置１００は、集合体を構成する構成品を管理するための情報処理装置であり、例えば市販のデスクトップ型パーソナルコンピュータで構成される。この構成品管理装置１００は、例えば、管理部門といった、事業者において集合体を構成する構成品を管理する部署（例えば取引部門）に１台設置されている。なお、構成品管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。また、構成品管理装置１００は、構成品管理システム１０００内において複数台設置されていてもよく、複数台の構成品管理装置１００の間で同期をとることで１台の構成品管理装置１００として機能してもよい。構成品管理装置１００は、取引部門に設置することに代えて、総務部門又は倉庫管理部門に設置されてもよい。
【００２２】
構成品管理装置１００は、制御部１０２と、通信インターフェース部１０４と、記憶部１０６と、入出力インターフェース部１０８とを備えている。構成品管理装置１００が備えている各部は、任意の通信路を介して通信可能に接続されている。
【００２３】
通信インターフェース部１０４は、ルータ等の通信装置及び専用線等の有線又は無線の通信回線を介して、構成品管理装置１００をネットワーク３００に通信可能に接続する。通信インターフェース部１０４は、他の装置と通信回線を介してデータを通信する機能を有する。ここで、ネットワーク３００は、構成品管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。したがって、通信インターフェース部１０４は、他の部門等が管理している情報処理装置や取引先の情報処理装置からの入力情報等を、ネットワーク３００を介して又はネットワーク３００及びサーバ２００を介して受け付けることが可能に構成されているとともに、所定の情報処理装置に対して所定の情報を出力することが可能に構成されている。
【００２４】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラム（本発明のプログラムを含む）が記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。また、この記憶部１０６には、本発明のプログラムを実施するために用いられる各種のデータが書き出し／読み出し可能に格納されている。
【００２５】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。
【００２６】
制御部１０２は、構成品管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００２７】
さらに図１を参照しながら、記憶部１０６及び制御部１０２の構成について詳述する。
【００２８】
記憶部１０６は、図１に示されるように、集合体構成パターンマスタ１０６ａと、取引情報マスタ１０６ｂと、取引データ記憶領域１０６ｃとを含む。また、記憶部１０６は、その他のマスタやデータ記憶領域を備えていてもよい。
【００２９】
集合体構成パターンマスタ１０６ａは、集合体構成パターンに基づき集合体を構成し得る構成品を登録するためのマスタであり、後述する具体例では、商品セットパターンマスタとして構成される。取引情報マスタ１０６ｂは、取引先に関する情報を登録するためのマスタであり、後述する具体例では、得意先マスタとして構成される。取引データ記憶領域１０６ｃは、取引データを記憶するための領域であり、必要に応じて各データを出力可能に保持する。
【００３０】
制御部１０２は、図１に示されるように、複数のモジュールを備えている。図１に示す例では、制御部１０２は、構成品候補抽出部１０２ａと、取引データ作成部１０２ｂとを備えている。
【００３１】
構成品候補抽出部１０２ａは、構成品候補を抽出する構成品候補抽出手段として機能するモジュールである。構成品候補とは、集合体を構成しうる構成品の候補をいう。取引データ作成部１０２ｂは、取引データを作成する取引データ作成手段として機能するモジュールである。各部の機能は、後述する処理内容を実現する機能を含む。
【００３２】
［２．処理］
次に、図１に示す構成品管理システム１０００において実行される構成品管理方法を例示的に説明する。
【００３３】
図２は、図１の構成品管理システム１０００において、構成品管理装置１００が実行する構成品管理方法の処理手順を示すフローチャートである。この図２に示す処理は、概略的には、集合体を構成する構成品を管理しておき、取引に係る集合体に関し分類が指定されると相応の構成品候補を抽出し、必要に応じて取引データを作成するというものであり、本処理の大部分は、構成品管理装置１００の制御部１０２において実行される。なお、以下では、多岐にわたる医療品セットを管理しておき、医療機関から医療品セットの受注を受けた場合に当該受注に係る医療品セットの構成品候補を抽出して、必要に応じて受注データを作成する場合を例に挙げて説明する。
【００３４】
図２において、まず、ステップＳ２０１では、マスタ編集を受け付ける。編集対象のマスタとしては、図１に示した集合体構成パターンマスタと、図１に示した取引情報マスタを挙げることができる。集合体構成パターンマスタ及び取引情報マスタ以外に、症例を登録したマスタ、取引に係る商品の商品名やその単価を登録したマスタ、納入先を登録したマスタ、担当者を登録したマスタを用意しておくことが好ましい。ステップＳ２０１においてマスタが既に構築されていない場合には新規にマスタが構築される。マスタが既に構築されている場合には、必要に応じて、ユーザ入力に基づいた修正や新規登録等の編集が行われる。また、他のマスタのデータを読み出してコピー又は上書きすることによって新規のマスタが構築されたり既存のマスタの更新が行われたりしてもよく、また、これに代えて、外部記憶装置に記録された他のマスタへ構成品管理装置１００をアクセス可能に構成し、アクセス可能になった時点でマスタが新規に構築されたとみなしてもよい。
【００３５】
図３は、図２のステップ２０１においてマスタ編集の対象となる集合体構成パターンマスタの構成例を模式的に示す図である。図４は、図３に示す集合体構成パターンマスタとしての商品セットパターンマスタに登録された構成品に関する構成品情報を模式的に示す図である。
【００３６】
図３に示す集合体構成パターンマスタは、商品セットパターンマスタとして構築した場合の例であり、商品である医療品セットの構成品に関する構成品情報が登録される。図３に示すように、商品セットパターンマスタは、構成品情報として、構成品ごとに、分類情報としての症例コード、地域情報（例えば県コード）、施設（病院）コード、付随情報としての枝番、医師名に関する医師名情報、商品コード、及び数量に関する数量情報を登録可能に構成されており、未指定の情報には、Ｎｕｌｌ又はゼロが登録される。ここで、地域情報とは、例えば、構成品を含む集合体が適用される地域を識別するための情報であり、例えば、集合体としての医療品セットを使用する施設（病院）の所在地を包含する地域を特定する情報又は医療品セットを納入する得意先の所在地を包含する地域を特定する情報である。商品セットパターンマスタにおいて地域情報を登録可能とすることにより、地域ごとに適用可能な構成品（例えば地域に応じて必要とされる構成品）を把握することができる。
【００３７】
そして、集合体構成パターンマスタにおいて、各構成品の構成品情報が、当該構成品を含んで構成される集合体の分類情報（図３に示す例では症例コード）と、当該構成品の条件情報（図３に示す例では県コード、施設（病院）コード、枝番、医師名に関する医師名情報）とを含むことにより、構成品ごとに、分類情報と、条件情報とを互いに紐付けて管理することができる。さらに、分類情報と条件情報との任意の組み合わせにより条件情報パターンを構成することができる。この条件情報パターンは、後述するステップＳ２０５の構成品候補抽出の際に用いられる。
【００３８】
図５は、図２のステップ２０１においてマスタ編集の対象となる取引情報マスタの構成例を模式的に示す図である。図６は、図５に示す取引情報マスタとしての得意先マスタに登録された得意先に関する得意先情報を模式的に示す図である。
【００３９】
図５に示す取引情報マスタは、得意先マスタとして構築した場合の例であり、取引先である得意先に関する得意先情報が登録される。なお、得意先とは、取引が受注である場合の発注元（例えば医療機関の関連会社）として把握してもよいし、納品先（例えば医療機関）として把握してもよい。図５に示すように、得意先マスタは、得意先情報として、得意先ごとに、得意先を識別するための識別情報（例えば得意先コード）及び地域情報（例えば県コード）を登録可能に構成されている。ここで、取引情報マスタに登録される地域情報は、集合体構成パターンマスタに登録される地域情報と共通する。これにより、地域情報を構成品情報からも得意先情報からも取得することができる。
【００４０】
次に、ステップＳ２０２では、取引入力が開始されるかどうかを判別する。取引入力が開始されない場合には（ステップＳ２０２でＮｏ）、ステップＳ２０１に戻って、マスタ編集又は取引入力の開始を待機する。他方、取引入力が開始される場合には（ステップＳ２０２でＹｅｓ）ステップＳ２０３に進んで、取引入力画面の表示を行う。具体的には、ステップＳ２０２〜Ｓ２０３では、ユーザが取引入力（例えば受注入力）を行う旨の指示入力を行った場合に、入力画面を起動する。
【００４１】
図７は、図２のステップＳ２０３で表示される入力画面としての受注入力画面の構成例を示す図である。ユーザは、受注があった場合に、受注データを作成すべく、図７に示すような受注入力画面を介して受注データの作成に必要な情報の入力を進めることとなる。なお、必要な情報の一部は、取引先からの発注データに含まれる情報を用いてもよい。そして、受注入力画面を介して受け付けた情報は、受注データに反映される。
【００４２】
図８（ａ）及び図８（ｂ）は、図７の入力画面を介して入力された情報に基づき作成可能な受注データの構成例を示しており、図８（ａ）は、受注データのうちの基本情報を示し、図８（ｂ）は、図８（ａ）に示す受注データに紐付けられた受注明細データを示す。図８（ｂ）に示す受注明細データには、受注に係る集合体を構成する各構成品に関する情報が記録される。なお、受注データは最終的に（後述のステップＳ２０８で）作成されればよいので、この段階で作成されなくてもよい。
【００４３】
続くステップＳ２０４では、ステップＳ２０３で表示した入力画面を介して検索情報の入力がなされるのを待機する。ここで、検索情報とは、集合体構成パターンマスタを参照するために用いられる情報であり、好ましくは、先述した分類情報及び条件情報のうちの少なくとも１つであり、より好ましくは１つの分類情報と１つ以上の条件情報である。検索情報が分類情報としての症例コードを含むことで、症例に応じた医療品セットを検索することが可能となる。
【００４４】
図７に示す入力画面の例では、得意先、施設（病院）、及び症例に関する情報が入力されており、これら情報は、図７の入力画面下部にある「セット検索」ボタンが押下されることで、検索情報として用いられる。なお、得意先を識別するための識別情報（得意先コード）及び地域情報（県コード）は、文字入力された施設名（病院名）から取引情報マスタを参照することによって取得してもよい。図９（ａ）及び図９（ｂ）は、図７に示すように入力がなされている状態にあるときに作成されてもよい受注データを模式的に示す図であり、図９（ａ）は、受注データの基本情報を、図９（ｂ）は、図９（ａ）に示す受注データの受注明細データを示す。図７に示すように受注に係る医療品セット及びその構成品が特定されていない状態であっても、図９（ｂ）に示すように、医療品セットが適用される症例を識別するための症例識別情報（図９（ｂ）に示す例では「Ｊ００００００００１」が採番されてもよい。通常、受注に係る医療品セットは１セットであるので、症例識別情報は受注番号としても用いることが可能であり、また、受注に係る医療品セットを特定するためにも用いることが可能である。
【００４５】
そして、検索情報の入力があった場合（すなわち図７の入力画面において「セット検索」ボタンが押下された場合）（ステップＳ２０４でＹｅｓ）、ステップＳ２０５に進み、構成品候補の抽出が行われる。構成品候補とは、検索情報を用いて集合体構成パターンマスタを参照した結果抽出された構成品に関する構成品情報である。
【００４６】
ステップＳ２０５の構成品候補抽出処理の詳細について、図７の入力画面に示すように情報入力がなされた場合を例に説明する。
【００４７】
図７の入力画面では、得意先、施設（病院）、及び症例に関する情報が入力された状態にあり、これにより、構成品管理装置１００の制御部は、分類情報と条件情報として、症例コード、地域情報（県コード）、施設（病院）コードを取得する。なお、地域情報は、集合体構成パターンマスタ又は取引情報マスタから取得することができる。
【００４８】
ここで、分類情報と条件情報は、集合体構成パターンマスタにおいて互いに紐付けられているため、これら情報を組み合わせることで複数の条件情報パターンを考えることができる。第１の条件情報パターンとしては、分類情報のみ、すなわち条件情報を組み合わせないパターン（実際には、分類情報とＮｕｌｌ又はゼロの条件情報とを組み合わせたパターン）がある。第２の条件情報パターンとしては、分類情報と地域情報との組み合わせたパターン（実際には、分類情報とＮｕｌｌ又はゼロの取引情報と地域情報とを組み合わせたパターン）がある。第３の条件情報パターンとしては、分類情報と取引情報（施設（病院）コード）との組み合わせたパターン（実際には、分類情報と取引情報とＮｕｌｌ又はゼロの地域情報とを組み合わせたパターン）がある。その他の条件情報パターンとしては、分類情報を含まない条件情報同士を組み合わせたパターンや、あらゆる情報を組み合わせたパターンが考えられるが、検索結果の精度を高めるために、分類情報を含まないパターンについては少なくとも予め除外されるよう構成することが好ましい。そして、これらの条件情報パターンを用いて集合体構成パターンを検索することにより、より精度の高い検索結果を得ることが可能となる。なお、多数の条件情報パターンがある場合には、用いるべき条件情報パターンを設定可能に構成することが好ましく、このために、例えば、分類情報と予め組み合わせるべき条件情報を集合体構成パターンマスタに設定しておいてもよいし、これに代えて、予め多数の条件情報パターンを設定したマスタを用意しておき、ユーザが選択した条件情報パターンのみを用いるように構成してもよい。ただし、検索情報に、条件情報パターンに含むべき情報が不足している場合には当該条件情報パターンを用いずに残りの条件情報パターンを用いて検索が行われる。
【００４９】
図１０は、図２のステップＳ２０５の構成品候補抽出処理の結果抽出された１群の構成品情報を模式的に示す図である。
【００５０】
図１０に示す１群の構成品情報は、上述した第１の条件情報パターン、第２の条件情報パターン及び第３の条件情報パターンに合致した検索結果を示している。図１０に示す第１の抽出結果、第２の抽出結果、第３の抽出結果は、それぞれ、第１の条件情報パターン、第２の条件情報パターン及び第３の条件情報パターンに合致した検索結果に対応している。第３の検索結果は、取引情報に付随情報（枝番）を含めた場合の検索結果が示されている。すなわち、図１０に示される第１の抽出結果は、症例によって医療品セットに必要とされる構成品の構成品情報であり、第２の抽出結果は、症例によって医療品セットを適用する地域に必要とされる可能性が高い構成品の構成品情報であり、第３の抽出結果は、症例によって医療品セットを適用する取引先（病院）及び医師に必要とされる可能性が高い構成品の構成品情報である。したがって、図１０に示すように、第１の抽出結果、第２の抽出結果、第３の抽出結果の順に１群の構成品情報を並べることで、必要度の高い構成品を容易に把握することができ、かつ、必要度の低い構成品（ユーザが選択すべき構成品）も把握しやすくなる。
【００５１】
そして、図１０に示されるように、複数の条件情報パターンに合致した検索結果が抽出されるので、集合体構成パターンに登録されている多数の構成品の中から候補となる構成品の構成品情報を精度高く抽出することができる。そのため、ユーザは、検索のための手間を軽減することができるようになる。具体例を挙げると、地域や取引先によって必要とされる構成品を把握していないユーザであっても、検索結果としてそのような構成品に関する構成品情報を得ることができる。また、構成品情報が各構成品の数量情報を含むことにより、必要数量を把握していないユーザであっても医療品セットを構成することが可能となる。
【００５２】
なお、ステップＳ２０５の構成品候補抽出処理の結果抽出された１群の構成品候補の構成品情報は、必要に応じてソート処理を施すことが好ましく、例えば、図７に示したような入力画面又は検索結果を示す検索結果表示画面に表示するためにソート処理を施してもよいし、受注データのためにソート処理を施してもよいし、ユーザの指定に応じてソート処理を施してもよい。そして、得られた１群の構成品候補の構成品情報は、検索結果を示す検索結果表示画面に表示される（ステップＳ２０６）。
【００５３】
図１１は、図２のステップＳ２０６で１群の構成品候補の構成品情報が表示された検索結果表示画面の構成例を示す図である。
【００５４】
図１１に示すように、検索結果表示画面においては、検索のために用いた条件情報パターンを併せて表示することが好ましい。これにより、ユーザは、どのような検索結果が表示されているのかを視覚的に把握することができる。また、図１１に示すように、検索結果表示画面においては、構成品候補の各々にチェックボックスを用意し、予めチェックがＯＮにセットされた状態で表示することが好ましい。なお、これに代えて、所定の構成品候補については、チェックボックスをＯＦＦにセットした状態で表示してもよい。例えば、医師によって異なる構成品候補については、それら構成品候補のチェックボックスをＯＦＦにセットしておくことで、ユーザは医師名を把握した後にチェックボックスをＯＮに変更することが可能となり、他方、全ての構成品候補のチェックボックスをＯＮにセットしておくことで、医師名が不明な場合には、どの医師が担当しても構成品に漏れがない医療品セットを構成できることになる。
【００５５】
その後、ステップＳ２０７では、集合体を構成する構成品が確定するのを待機する。具体的には、まず、図１１に示したように表示された構成品候補の中から、ユーザが医療品セットに必要とされる構成品についてチェックボックスがＯＮになっておりかつ必要とされない構成品についてチェックボックスがＯＦＦになっているのを確認する。ユーザは、必要とされない構成品があれば、チェックボックスをＯＦＦに変更する。図１２は、図１１の検索結果表示画面に表示された１群の構成品候補のうち、その一部についてチェックボックスがＯＦＦに変更された後の状態を示す図である。その後、画面下部にある「確定」ボタンが押下されるのを待機する。そして、検索結果表示画面を介して構成品が確定したら（ステップＳ２０７でＹｅｓ）、確定した構成品に関する構成品情報を、図７に示したような入力画面に反映させる。これにより、ユーザは、構成品に関する構成品情報を入力画面に入力する手間を省くことができる。図１３は、図７に示したような入力画面において、図１２の検索結果表示画面を介して確定した構成品を反映させた状態を示す図である。さらに、ユーザは、入力画面において最終確認を行い（この際、例えば数量を変更してもよい）、図１３の下部にある「登録」ボタンを押下することで、確定した構成品で構成された集合体（医療品セット）に関する取引の入力が確定することとなる。
【００５６】
ステップＳ２０８では、確定した集合体について取引データを作成する。具体的には、図１３を介して確定した集合体とその構成品につき、取引データ（ここでは受注データ）が作成される。確定した集合体の各構成品は、図８（ｂ）に示した構成の受注明細データに反映される。さらに、ステップＳ２０９では、確定した集合体の各構成品に、同じ症例識別情報を割り当てる。これにより、各構成品が取引に係る集合体の構成品であることを容易に把握できるようになる。図１４は、図２のステップＳ２０８〜Ｓ２０９の処理の結果作成された取引明細データの一例を模式的に示す図である。上述したようにして作成された取引データは、取引を管理するためのデータとして用いられてもよいし、納品先へ示すための納品書を作成するためのデータとして用いられてもよい。なお、新たに追加された構成品や数量が変更された構成品があれば、その情報を集合体構成パターンマスタに反映するよう促してもよい。そして、取引データの作成が完了したら、図２に示した処理を完了する。
【００５７】
以上詳細に説明したように、図２に示した構成品管理方法の一連の処理によれば、取引に係る集合体に関し指定された分類に関する分類情報に基づき（ステップＳ２０４でＹｅｓ）、当該分類情報に紐付けられた一種又は複数種の条件情報パターンに属する構成品が、前記集合体を構成し得る構成品候補として抽出される（ステップＳ２０５；構成品候補抽出手段）。これにより、取引に係る集合体を構成し得る構成品候補を精度高く抽出可能に管理して、ユーザの手間を軽減することができる。また、抽出結果の精度が高いため、集合体を構成する際の漏れを防止することができる。
【００５８】
また、図２の処理によれば、前記条件情報パターンが、第１の条件情報パターン、第２の条件情報パターン及び第３の条件情報パターンの少なくとも３種であり、ここで、前記第１の条件情報パターンは、前記条件情報パターンに紐付けられた分類情報であり、前記第２の条件情報パターンは、前記条件情報パターンに紐付けられた分類情報と、当該分類情報に関連付けられた地域に関する地域情報との組み合わせであり、前記第３の条件情報パターンは、前記条件情報パターンに紐付けられた分類情報と、前記取引の取引先又は取引元に関する取引情報との組み合わせである。また、図２の処理によれば、このように前記複数の条件情報パターンから設定された一又は複数の条件情報パターンに属する構成品が前記構成品候補として抽出される（ステップＳ２０５）。これにより、より精度の高い構成品候補を抽出することができる。具体的には、分類情報を加味した検索結果に加えて、地域情報を加味した検索結果と、取引情報を加味した検索結果を併せて取得することができる。
【００５９】
また、図２の処理によれば、前記条件情報パターンは、さらに、付随情報（例えば枝番）を含む。これにより、より精度の高い構成品候補（例えば医師によって異なる構成品候補）を抽出することができる。
【００６０】
また、図２の処理によれば、前記構成品に関する構成品情報は、当該構成品を識別するための識別情報と、当該構成品の数量に関する数量情報とを少なくとも含む。これにより、ユーザは、各構成品の数量を設定する手間を軽減することができる。
【００６１】
また、図２の処理によれば、前記集合体の取引に関する取引データを作成可能に構成されている（ステップＳ２０８；取引データ作成手段）。さらに、図２の処理によれば、抽出された構成品候補の群から選択された一又は複数の構成品候補を一の集合体として、当該集合体の取引に関する取引データが作成される。これにより、ユーザが構成品に関する構成品情報を入力する手間を軽減することができる。
なお、図２の処理において、ステップＳ２０４で検索情報の入力を待機するとしたが、これに代えて、ユーザが検索情報を用いずに構成品の手入力を可能とすべく、検索情報の入力がなされない場合には（ステップＳ２０４でＮｏ）、ステップＳ２０７の判別に進むようにしてもよい。
【００６２】
さらに、図２を用いて説明した具体例によれば、前記取引に係る集合体は、受注に係る医療品セットであり、前記分類情報は、前記医療品セットが適用される症例を識別するための症例識別情報であり、前記条件情報パターンは、前記症例識別情報、前記症例識別情報と前記医療品セットが適用される地域に関する地域情報の組み合わせ、並びに、前記症例識別情報と前記医療品セットが使用される納品先に関する納品先情報の組み合わせから選択された一又は複数の条件情報パターンである。そのため、図２に示した処理を適用することにより、医療品セットを構成するための構成品候補を精度高く抽出することができる。取引に係る集合体の一例である医療品セットは、手術等で使用されるため、誤出荷等により構成品の一部でも不足していると、信頼が落ちるだけでなく、手術が円滑に進まない等のリスクを伴う。したがって、上述した具体例のように、構成品候補が精度高く抽出されるという効果は、集合体が医療品セットである場合に特に顕著となる。なお、受注に係る医療品セットは、施設（病院）へ納品され、医師が医療品セットに含まれる構成品の一部又は全部を使用する。そして、使用された構成品については、売上処理に供され、また、洗浄又は廃棄される。
【００６３】
なお、上述した具体例では、取引に係る集合体が受注に係る集合体である場合について説明したが、本発明は、取引に係る集合体が発注に係る集合体であっても適用でき、この場合には、図２の処理を実行することにより、発注に係る集合体の構成品候補が抽出可能となり、また、取引データとして発注データの作成が可能となる。
【００６４】
［３．他の実施形態］
本発明は、上述した実施形態以外にも、特許請求の範囲に記載した技術的思想の範囲内において種々の異なる実施形態にて実施されてよいものである。
【００６５】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６６】
また、本明細書中や図面中で示した処理手順、制御手順、具体的名称、各処理の登録データや検索条件等のパラメータを含む情報、画面例、データベース構成については、特記する場合を除いて任意に変更することができる。
【００６７】
また、構成品管理装置１００及び構成品管理システム１０００に関して、図示の各構成要素は機能概念的なものであり、必ずしも物理的に図示の如く構成されていることを要しない。
【００６８】
例えば、構成品管理装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて構成品管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６９】
また、このコンピュータプログラムは、構成品管理装置１００に対して任意のネットワーク（例えばネットワーク３００）を介して接続されたアプリケーションプログラムサーバに記憶されていてもよく、必要に応じてその全部または一部をダウンロードすることも可能である。
【００７０】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明した処理を実行するためのプログラムを格納した記録媒体もまた本発明を構成することとなる。
【００７１】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７２】
記憶部１０６に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００７３】
また、構成品管理装置１００は、既知のパーソナルコンピュータまたはワークステーション等の情報処理装置として構成してもよく、また、任意の周辺装置が接続された当該情報処理装置として構成してもよい。また、構成品管理装置１００は、当該装置に本明細書で説明した処理を実現させるソフトウェア（プログラムまたはデータ等を含む）を実装することにより実現してもよい。
【００７４】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７５】
本発明は、集合体を構成する構成品を管理する際において有用であり、特に管理された構成品に関する情報に基づき取引データを作成する際において有用である。
【符号の説明】
【００７６】
１００  構成品管理装置
１０２  制御部
１０２ａ  構成品候補抽出部
１０２ｂ  取引データ作成部
１０４  通信インターフェース部
１０６  記憶部
１０６ａ  集合体構成パターンマスタ
１０６ｂ  取引情報マスタ
１０６ｃ  取引データ記憶領域
１０８  入出力インターフェース部
１１２  入力装置
１１４  出力装置
２００  サーバ
３００  ネットワーク
１０００  構成品管理システム
【図１】
2020107246.tif 000003
【図２】
2020107246.tif 000004
【図３】
2020107246.tif 000005
【図４】
2020107246.tif 000006
【図５】
2020107246.tif 000007
【図６】
2020107246.tif 000008
【図７】
2020107246.tif 000009
【図８】
2020107246.tif 000010
【図９】
2020107246.tif 000011
【図１０】
2020107246.tif 000012
【図１１】
2020107246.tif 000013
【図１２】
2020107246.tif 000014
【図１３】
2020107246.tif 000015
【図１４】
2020107246.tif 000016